(57)【要約】【課題】筐体の薄肉軽量化を達成しつつ、フロントパネルまたはリヤキャビネットの外周部の変形による、フロントパネルとリヤキャビネットの嵌合部が息をする、または異音がするという現象が発生することのない情報処理装置を提供することを目的とする。【解決手段】フロントパネル１には、フロントパネル１とリヤキャビネット２で構成される空間の高さと同等もしくは近似した高さの突起１ａが設けられている。また、フロントパネル１の外周側壁１ｂには爪１ｃが設けられ、リヤキャビネット２の外周側壁２ｂに設けられた溝２ｃと係合するようになっている。フロントパネルまたはリヤキャビネットに外部より圧力が加わった場合、外部からの圧力をフロントパネル１とリヤキャビネット２の外周部で受けるが、フロントパネル１の突起１ａがリヤキャビネット２の天井面２ｄに当接し、この部分でも受けるため、外周側壁１ｂに加わる圧力が軽減される。【選択図】図１
2005332111.tif 000002
【特許請求の範囲】
【請求項１】
電子ユニットを内蔵するため、フロントパネルとリヤキャビネットの２つの筐体を嵌合させることにより箱状に形成するとともに、前記フロントパネルと前記リヤキャビネットの少なくとも一方に、他方の筐体の外周側壁の内側で、かつ、前記外周側壁に近接した位置に、前記フロントパネルと前記リヤキャビネットで形成された内部空間の高さと同等もしくは近似した高さの突起を設けたことを特徴とする情報処理装置。
【請求項２】
突起を、フロントパネルもしくはリヤキャビネットの周囲４辺の少なくとも１辺に分割もしくは連続したリブ状に設けたことを特徴とする請求項１記載の情報処理装置。
【請求項３】
突起を、フロントパネルとリヤキャビネットの双方に設け、前記フロントパネルと前記リヤキャビネットに設けられたそれぞれの突起の高さの合計が、前記フロントパネルと前記リヤキャビネットで形成された内部空間の高さと近似した高さになるように配置したことを特徴とする請求項１記載の情報処理装置。
【請求項４】
フロントパネルとリヤキャビネットの２つの筐体を嵌合させる際の係合を、それぞれの外周側壁に設けた爪と溝によって行うことを特徴とする請求項１乃至請求項３記載の情報処理装置。
【発明の詳細な説明】
【技術分野】
【０００１】
本発明は液晶表示装置などの電子ユニットを内蔵するノートパソコンなどの情報処理装置に関するものである。
【背景技術】
【０００２】
従来、ノートパソコンなどの情報処理装置では、液晶表示装置などの電子ユニットを、箱状に形成された２つの筐体で挟み込むように内蔵していた。図５はそのような従来の情報処理装置の表示部を示す断面図である。図において、１０１は電子ユニットである液晶表示装置で、筐体のフロントパネル１０２と液晶表示装置１０１を挟んで反対側に配置されたリヤキャビネット１０３とで構成された内部空間に内蔵されている。液晶表示装置１０１はリヤキャビネット１０３に設けられたボス１０３ｃにネジ１０４で固定されている。フロントパネル１０２とリヤキャビネット１０３は、フロントパネル１０２の外周側壁１０２ａに設けられた爪１０２ｂとリヤキャビネット１０３の外周側壁１０３ａに設けられた溝１０３ｂとの係合により固定される。
【０００３】
一方、近年では情報処理装置の携帯性を向上させるため、筐体の薄肉軽量化が進み、それに伴う筐体の変形の防止対策として、筐体天井面に格子状リブを設けたり、段差を設けたりしている（例えば、特許文献１、特許文献２）。
【特許文献１】特開平９−６２４００号公報
【特許文献２】特開２００３−２０４１７４号公報
【発明の開示】
【発明が解決しようとする課題】
【０００４】
しかしながら、従来の情報処理装置では、フロントパネルまたはリヤキャビネットに外部より圧力が加わった場合、特許文献１や特許文献２のような対策により、筐体天井面の大きな変形は防止できるが、外部からの圧力をフロントパネルとリヤキャビネットの外周部で受けるため、フロントパネルまたはリヤキャビネットの外周部がわずかに変形して、フロントパネルとリヤキャビネットで形成された嵌合部が息をする（隙間が開いたり閉じたりする）、または異音がするという現象が発生することがあった。具体的には、図５において、Ｂ方向に圧力を加えたとき、フロントパネル１０２の外周側壁１０２ａがＡ方向に開く。このような現象は、筐体の天井面を補強した場合に特に顕著である。これを解決するためには、フロントパネルとリヤキャビネットの固定を、爪と溝との係合によらず、外周近くをネジ止めすればよいが、外周部に沿って多くの個所をネジ止めする必要があり、情報処理装置の組立て工数が増えるだけでなく、軽量化指向にも逆行してしまうことになる。
【０００５】
本発明は、筐体の薄肉軽量化を達成しつつ、フロントパネルまたはリヤキャビネットの外周部の変形による、フロントパネルとリヤキャビネットの嵌合部が息をする、または異音がするという現象が発生することのない情報処理装置を提供することを目的とする。
【課題を解決するための手段】
【０００６】
上記課題を解決するために、本発明の情報処理装置は、フロントパネルまたはリヤキャビネットの外周側壁の内側にフロントパネルとリヤキャビネットで構成される空間の高さと同等もしくは近似した高さの突起を設けるように構成したものである。
【発明の効果】
【０００７】
本発明の情報処理装置は、上記構成を有し、外部からの圧力に対して、フロントパネルまたはリヤキャビネットの外周部の変形を減少させて、フロントパネルとリヤキャビネットの嵌合部が息をする、または異音が発生するという現象を防止する効果が得られる。
【発明を実施するための最良の形態】
【０００８】
本発明の請求項１に記載の発明は、電子ユニットを内蔵するため、フロントパネルとリヤキャビネットの２つの筐体を嵌合させることにより箱状に形成するとともに、フロントパネルとリヤキャビネットの少なくとも一方に、他方の筐体の外周側壁の内側で、かつ、外周側壁に近接した位置に、フロントパネルとリヤキャビネットで形成された内部空間の高さと同等もしくは近似した高さの突起を設けた情報処理装置であり、フロントパネルまたはリヤキャビネットに外部からの圧力が加わった場合でも、フロントパネルまたはリヤキャビネットの外周部の変形量を少なくして、フロントパネルとリヤキャビネットの嵌合部が息をする、または異音が発生するという現象を防止するという作用を有する。
【０００９】
請求項２に記載の発明は、請求項１記載の情報処理装置において、突起を、フロントパネルもしくはリヤキャビネットの周囲４辺の少なくとも１辺に分割もしくは連続したリブ状に設けたものであり、フロントパネルとリヤキャビネットの嵌合部が息をするまたは異音が発生するという現象を、必要な領域に限定して防止することができるという作用を有する。
【００１０】
請求項３に記載の発明は、請求項１記載の情報処理装置において、突起を、フロントパネルとリヤキャビネットの双方に設け、フロントパネルとリヤキャビネットに設けられたそれぞれの突起の高さの合計が、フロントパネルとリヤキャビネットで形成された内部空間の高さと近似した高さになるように配置したものであり、フロントパネルとリヤキャビネットとの双方に突起を形成することにより、突起の高さを低くしてフロントパネルまたはリヤキャビネットの厚さを薄くすることができるという作用を有する。
【００１１】
請求項４に記載の発明は、請求項１乃至請求項３記載の情報処理装置において、フロントパネルとリヤキャビネットの２つの筐体を嵌合させる際の係合を、それぞれの外周側壁に設けた爪と溝によって行うようにしたもので、ネジ等を不使用もしくは減らせるため、情報処理装置を軽量化することができる。
【００１２】
以下、本発明の実施の形態を、図面を参照しながら説明する。
【００１３】
（実施の形態１）
図１に本発明の実施の形態１における情報処理装置の表示部の断面図、図２にフロントパネルの具体的な形状の斜視図を示す。１はフロントパネルであり、２はリヤキャビネット、３は電子ユニットである液晶表示装置で、リヤキャビネット２に設けられた支持部２ａに取り付けられている。支持部２ａは、従来例と同様、ボスとネジ（図示せず）によって構成されている。フロントパネル１には、フロントパネル１とリヤキャビネット２で構成される空間の高さと同等もしくは近似した高さの突起１ａが設けられている。また、フロントパネル１の外周側壁１ｂには爪１ｃが設けられ、リヤキャビネット２の外周側壁２ｂに設けられた溝２ｃと係合するようになっている。
【００１４】
フロントパネル１と、液晶表示装置３が取り付けられたリヤキャビネット２を、爪１ｃと溝２ｃの係合により固定する。このとき、突起１ａはリヤキャビネット２の天井面２ｄと接触、もしくはわずかな隙間を有している。
【００１５】
以上のように構成された本発明の情報処理装置において、フロントパネルまたはリヤキャビネットに外部より圧力が加わった場合、外部からの圧力をフロントパネル１とリヤキャビネット２の外周部で受けるが、フロントパネル１の突起１ａがリヤキャビネット２の天井面２ｄに当接し、この部分でも受けるため、外周側壁１ｂに加わる圧力が軽減される。
【００１６】
これにより、フロントパネル１の外周側壁１ｂはほとんど変形せず、従って、フロントパネルとリヤキャビネットで形成された嵌合部が息をする、または異音がするという現象は発生しない。
【００１７】
また、図２に示すように、フロントパネル１の突起１ａは周囲４辺に分割もしくは連続したリブ状の状態で形成されている。つまり、突起１ａは周囲に渡って全体的に設ける必要はなく、現象が生じないだけの最小限の範囲でよい。
【００１８】
また、リブの厚みも、外部より高さ方向に加わる圧力に耐えられるだけの最小限の厚みでよく、ネジ止め方式と比べて重量増は少ない。
【００１９】
（実施の形態２）
図３に本発明の情報処理装置の実施の形態２における表示部の断面図を示す。１１はフロントパネルであり、１２はリヤキャビネット、１３は液晶表示装置で、リヤキャビネット１２に設けられた支持部１２ａに取り付けられている。支持部１２ａは、従来例と同様、ボスとネジ（図示せず）によって構成されている。リヤキャビネット１２にはフロントパネル１１とリヤキャビネット１２で構成された空間の高さと同等もしくは近似した高さの突起１２ｂが設けられており、フロントパネル１１の外周側壁１１ａに設けられた爪１１ｂと、リヤキャビネット１２の外周側壁１２ｃに設けられた溝１２ｄとが係合し、フロントパネル１１とリヤキャビネット１２が嵌合された場合、突起１２ｂはフロントパネル１１の天井面１１ｃに当接または近接する。
【００２０】
実施の形態１と同様、フロントパネルまたはリヤキャビネットに外部より圧力が加わった場合、外部からの圧力をフロントパネル１１とリヤキャビネット１２の外周部で受けるが、リヤキャビネット１２の突起１２ｂがフロントパネル１１の天井面１１ｃに当接し、この部分でも受けるため、外周側壁１１ａに加わる圧力が軽減される。
【００２１】
これにより、フロントパネル１１の外周側壁１１ａはほとんど変形せず、従って、フロントパネルとリヤキャビネットで形成された嵌合部が息をする、または異音がするという現象は発生しない。
【００２２】
（実施の形態３）
図４に本発明の情報処理装置の実施の形態３における表示部の断面図を示す。２１はフロントパネルであり、２２はリヤキャビネット、２３は液晶表示装置で、リヤキャビネット２２に設けられた支持部２２ａに取り付けられている。支持部２２ａは、従来例と同様、ボスとネジ（図示せず）によって構成されている。フロントパネル２１とリヤキャビネット２２にはそれぞれ突起２１ａと突起２２ｂが設けられており、突起２１ａと突起２２ｂの高さの合計が、フロントパネル２１とリヤキャビネット２２で構成された空間の高さと同等もしくは近似した高さになるように形成されている。フロントパネル２１の外周側壁２１ｂに設けられた爪２１ｃと、リヤキャビネット２２の外周側壁２２ｃに設けられた溝２２ｄとが係合し、フロントパネル２１とリヤキャビネット２２が嵌合された場合、突起２１ａと突起２２ｂは当接または近接する。
【００２３】
実施の形態１と同様、フロントパネルまたはリヤキャビネットに外部より圧力が加わった場合、外部からの圧力をフロントパネル２１とリヤキャビネット２２の外周部で受けるが、フロントパネル２１の突起２１ａとリヤキャビネット２２の突起２２ｂが当接し、この部分でも受けるため、外周側壁２１ｂに加わる圧力が軽減される。
【００２４】
これにより、フロントパネル２１の外周側壁２１ｂはほとんど変形せず、従って、フロントパネルとリヤキャビネットで形成された嵌合部が息をする、または異音がするという現象は発生しない。
【００２５】
なお、これらの実施の形態において、突起は可能な限り外周側壁に近接させた方が外周側壁の変形は少なくなり、効果は大きい。
【００２６】
また、これらの実施の形態において、フロントパネルとリヤキャビネットが嵌合する際に係合する爪および溝は、フロントパネルとリヤキャビネットのどちらに設けられてもよい。
【００２７】
また、これらの実施の形態において、液晶表示装置を内蔵する情報処理装置について説明したが、本発明が、２つの箱状の筐体を嵌合させて、電子ユニットを内蔵するようなもののすべてに摘要可能であることは言うまでもない。
【産業上の利用可能性】
【００２８】
本発明にかかる情報処理装置は、上記構成を有し、外部からの圧力に対してフロントパネルとリヤキャビネットで構成された空間を確保し、フロントパネルとリヤキャビネットの外周部の変形を減少させて、フロントパネルとリヤキャビネットの嵌合部が息をする、または異音が発生するという現象を防止する効果を有し、電子ユニットを内蔵するノートパソコンなどの情報処理装置等として有用である。
【図面の簡単な説明】
【００２９】
【図１】本発明の実施の形態１における情報処理装置の表示部の断面図
【図２】本発明の実施の形態１における情報処理装置のフロントパネルの具体的な形状の斜視図
【図３】本発明の実施の形態２における情報処理装置の表示部の断面図
【図４】本発明の実施の形態３における情報処理装置の表示部の断面図
【図５】従来の情報処理装置の表示部を示す断面図
【符号の説明】
【００３０】
１、１１、２１  フロントパネル
１ａ、１２ｂ、２１ａ、２２ｂ  突起
１ｂ、２ｂ、１１ａ、１２ｃ、２１ｂ、２２ｃ  外周側壁
１ｃ、１１ｂ、２１ｃ  爪
２、１２、２２  リヤキャビネット
２ａ、１２ａ、２２ａ  支持部
２ｃ、１２ｄ、２２ｄ  溝
２ｄ、１１ｃ  天井面
３、１３、２３  液晶表示装置
【図１】
2005332111.tif 000003
【図２】
2005332111.tif 000004
【図３】
2005332111.tif 000005
【図４】
2005332111.tif 000006
【図５】
2005332111.tif 000007